(57)【要約】【課題】ニードルレスタイプの雄コネクタの挿入に伴う弾性弁体の損傷が軽減される、新規な構造の医療用弁を提供する。【解決手段】ディスク状の弾性弁体１６が装着された雄コネクタ接続用のポート１４が設けられていると共に、弾性弁体１６の外周部分に形成された内側係止溝２６と外側係止溝２８に対してハウジング１２に形成された内側爪部６２と外側爪部７８が係止されて支持されている医療用弁１０において、弾性弁体１６の外側係止溝２８に重ね合わされた外側爪部７８の内周面７８ａにおける軸方向外方端部分には、内径寸法が３．９〜４．５ｍｍで且つ軸方向長さが該外側爪部の１／３以上とされた筒状内周面８１が形成されていると共に、弾性弁体１６の内側係止溝２６に重ね合わされた内側爪部６２の内周面６４ｃの内径寸法が、外側爪部７８における筒状内周面８１の内径寸法よりも大きくされている。【選択図】図１
2020069360.tif 000002
【特許請求の範囲】
【請求項１】
ディスク状の弾性弁体が装着された雄コネクタ接続用のポートが設けられていると共に、該弾性弁体の外周部分に形成された内側係止溝と外側係止溝に対してハウジングに形成された内側爪部と外側爪部が係止されて支持されている医療用弁において、
前記弾性弁体の前記外側係止溝に重ね合わされた前記外側爪部の内周面における軸方向外方端部分には、内径寸法が３．９〜４．５ｍｍで且つ軸方向長さが該外側爪部の１／３以上とされた筒状内周面が形成されていると共に、前記弾性弁体の前記内側係止溝に重ね合わされた前記内側爪部の内周面の内径寸法が、該外側爪部における該筒状内周面の内径寸法よりも大きくされていることを特徴とする医療用弁。
【請求項２】
ディスク状の弾性弁体が装着された雄コネクタ接続用のポートが設けられていると共に、該弾性弁体の外周部分に形成された内側係止溝と外側係止溝に対してハウジングに形成された内側爪部と外側爪部が係止されて支持されている医療用弁において、
前記弾性弁体の内側面には前記内側係止溝から連続して内周側に広がる周溝が設けられている一方、前記外側爪部の内周面には軸方向内方に向かって次第に拡径する傾斜面が設けられていると共に、該傾斜面の傾斜角度θが４５度よりも大きくされており、該周溝の径方向の少なくとも一部が該外側爪部の該傾斜面に対して軸方向で対向位置していることを特徴とする医療用弁。
【請求項３】
前記弾性弁体の前記周溝が、前記外側爪部の内周面よりも径方向内方にまで広がっている請求項２に記載の医療用弁。
【請求項４】
ディスク状の弾性弁体が装着された雄コネクタ接続用のポートが設けられていると共に、該弾性弁体の外周部分に形成された内側係止溝と外側係止溝に対してハウジングに形成された内側爪部と外側爪部が係止されて支持されている医療用弁であって、
前記弾性弁体の外周部分において、該外側爪部と前記内側爪部とにおける両最先端面の対向面間が最小厚さの第一薄肉部とされていると共に、該第一薄肉部の内周側には、該内側爪部において前記内側係止溝の開口端に至るまで傾斜した内周面によって中央に向かって次第に厚肉となる第二薄肉部が設けられており、更に該第二薄肉部の内周側には、該外側爪部の傾斜した内周面によって中央に向かって次第に厚肉となる第三薄肉部が設けられていることを特徴とする医療用弁。
【請求項５】
前記外側爪部と前記内側爪部とにおける両最先端面の軸方向対向距離に比して、該外側爪部の最先端面の内半径と該内側爪部の最先端面の内半径との寸法差の方が小さくされている請求項４に記載の医療用弁。
【請求項６】
ディスク状の弾性弁体が装着された雄コネクタ接続用のポートが設けられていると共に、該弾性弁体の外周部分に形成された内側係止溝と外側係止溝に対してハウジングに形成された内側爪部と外側爪部が係止されて支持されている医療用弁であって、
前記弾性弁体の前記内側係止溝に嵌め入れられて係止された前記内側爪部の先端部分において、最先端面が該先端部分における径方向中央よりも外周側に偏倚していると共に、該内側爪部の該先端部分の最小内径が前記外側爪部の最先端面の内径よりも大きくされていることを特徴とする医療用弁。
【請求項７】
前記内側爪部の内周面が、内周側に向かって凸となる湾曲断面形状を有する湾曲内周面とされており、該湾曲内周面が前記先端部分よりも内方にまで延びており、前記雄コネクタの接続によって前記弾性弁体が該湾曲内周面に重なるように変形するようになっている請求項６に記載の医療用弁。
【請求項８】
ディスク状の弾性弁体が装着された雄コネクタ接続用のポートが設けられていると共に、該弾性弁体の外周部分に形成された内側係止溝と外側係止溝に対してハウジングに形成された内側爪部と外側爪部が係止されて支持されている医療用弁において、
前記内側爪部の内周面が、内周側に向かって凸となる湾曲断面形状を有する湾曲内周面とされており、該湾曲内周面が前記弾性弁体の前記内側係止溝の外部にまで延び出して広がっていると共に、該湾曲内周面の最小内径寸法が前記外側爪部の最小内径寸法よりも大きくされている一方、
前記内側爪部において前記内側係止溝に嵌め入れられて係止された先端部分における外周面が内周面よりも軸方向に近い急な傾斜角度とされていることを特徴とする医療用弁。
【請求項９】
ディスク状の弾性弁体が装着された雄コネクタ接続用のポートが設けられていると共に、該弾性弁体の外周部分に形成された内側係止溝と外側係止溝に対してハウジングに形成された内側爪部と外側爪部が係止されて支持されている医療用弁において、
前記弾性弁体の前記外側係止溝に重ね合わされた前記外側爪部の内周面における軸方向外方端部分の内径寸法が３．９〜４．５ｍｍの範囲内に設定されていると共に、該外側爪部によって前記弾性弁体が径方向で圧縮されていることを特徴とする医療用弁。
【請求項１０】
前記弾性弁体において前記外側係止溝の内周側に位置する中央部分の外径寸法が、該外側係止溝に係止される前記外側爪部の内径寸法よりも大きくされていると共に、該外側係止溝の深さ寸法が該外側爪部の軸方向突出寸法よりも小さくされており、該外側爪部によって該弾性弁体が径方向及び軸方向で圧縮されている請求項９に記載の医療用弁。
【請求項１１】
前記弾性弁体において前記外側係止溝の内周側に位置する中央部分の外周面が、該外側係止溝の底側端から開口側端に至る軸方向の全長で且つ周方向の全体に亘る全面において、前記外側爪部の内周面により径方向で圧縮されている請求項９又は１０に記載の医療用弁。
【請求項１２】
前記弾性弁体における前記外側爪部による径方向の圧縮力が、該弾性弁体の軸方向において内側部分よりも外側部分の方が大きくされている請求項９〜１１の何れか１項に記載の医療用弁。
【請求項１３】
ディスク状の弾性弁体が装着された雄コネクタ接続用のポートが設けられていると共に、該弾性弁体の外周部分に形成された内側係止溝と外側係止溝に対してハウジングに形成された内側爪部と外側爪部が係止されて支持されている医療用弁において、
前記外側爪部の内周面には、軸方向内方の端部側において拡径された拡径内周面が設けられており、該拡径内周面の軸方向長さが、前記内側爪部と前記外側爪部との各最先端面の軸方向の対向面間距離以上とされていることを特徴とする医療用弁。
【発明の詳細な説明】
【技術分野】
【０００１】
本発明は、シリンジの雄ルアーなどのニードルレスコネクタを接続可能とする医療用弁に関するものである。
【背景技術】
【０００２】
医療分野において輸液や採血などを行なう流体流路では、必要に応じてシリンジなどの医療用具におけるニードルレスタイプの雄コネクタを接続可能とするために医療用弁が利用される。このような医療用弁の一種としては、例えば国際公開第２０１５／１５６２７２号（特許文献１）に記載されているスプリットセプタムタイプの医療用弁が知られている。
【０００３】
ところで、スプリットセプタムタイプの医療用弁では、雄コネクタの着脱に際して弾性弁体が外れないように、ハウジングに対して弾性弁体を固定する必要がある。そこで、前記特許文献１にも示されているように、弾性弁体の外周部分に形成された内外の係止溝に対してハウジングに形成された内外の爪部を係止させて支持させた構造が提案されている。
【先行技術文献】
【特許文献】
【０００４】
【特許文献１】国際公開第２０１５／１５６２７２号
【発明の概要】
【発明が解決しようとする課題】
【０００５】
ところが、前述の如き従来構造の医療用弁では、雄コネクタを挿し入れると、弾性弁体において内側の爪部と雄コネクタの先端との間で挟まれた薄肉部分のあたりに亀裂が発生するなどして、弾性弁体が損傷するおそれがあった。
【０００６】
本発明の解決課題とするところは、ニードルレスタイプの雄コネクタの挿入に伴う弾性弁体の損傷が軽減される、新規な構造の医療用弁を提供することにある。
【課題を解決するための手段】
【０００７】
以下、このような課題を解決するために為された本発明の態様を記載する。なお、以下に記載の各態様において採用される構成要素は、可能な限り任意の組み合わせで採用可能である。
【０００８】
先ず、本発明者が従来構造の医療用弁における弾性弁体の損傷原因について多くの実験と検討を繰り返した結果、新たな事実とそれに基づく損傷原因について新規な課題乃至は知見を得た。即ち、医療用弁への雄コネクタの挿入操作に際して、弾性弁体の中央部分へ雄コネクタの先端を位置合わせして挿し入れようとして、使用者は無意識のうちに、雄コネクタを傾斜させて雄コネクタの先端を弾性弁体へ挿し入れることが判った。要するに、弾性弁体の中心をピンポイントで狙って垂直方向に雄コネクタの先端を当てることは難しいからであり、弾性弁体の周囲の壁の先端面に雄コネクタの先端近くの外周面を接触させることで、弾性弁体の周囲の壁の先端面をガイドのように利用して、雄コネクタの先端を弾性弁体の中央へ導いて挿し入れるように操作されることが多いのである。
【０００９】
その結果、斜めに挿し入れられた雄コネクタは、先端面が弾性弁体に対して局所的に押し付けられ、更に変形した弾性弁体をハウジングの外側爪部や内側爪部との間で強く挟んでしごくようにして雄コネクタの先端が移動することとなる。そのために、弾性弁体へ局所的に大きな力が作用して、弾性弁体の亀裂などの損傷が発生しやすいというメカニズムひいては技術的な課題を見い出したのである。
【００１０】
本発明の第１の態様は、ディスク状の弾性弁体が装着された雄コネクタ接続用のポートが設けられていると共に、該弾性弁体の外周部分に形成された内側係止溝と外側係止溝に対してハウジングに形成された内側爪部と外側爪部が係止されて支持されている医療用弁において、前記弾性弁体の前記外側係止溝に重ね合わされた前記外側爪部の内周面における軸方向外方端部分には、内径寸法が３．９〜４．５ｍｍで且つ軸方向長さが該外側爪部の１／３以上とされた筒状内周面が形成されていると共に、前記弾性弁体の前記内側係止溝に重ね合わされた前記内側爪部の内周面の内径寸法が、該外側爪部における該筒状内周面の内径寸法よりも大きくされていることを特徴とするものである。
【００１１】
本態様に従う構造とされた医療用弁によれば、弾性弁体を保持する外側爪部と内側爪部を特定の大きさや形状に設定したことにより、雄コネクタの挿入時における過度の傾きを防止すると共に、弾性弁体において雄コネクタから力を受けて変形する部分の耐強度を向上することができて、雄コネクタ挿入時における弾性弁体の応力集中ひいては損傷を軽減することが可能となる。
【００１２】
本発明の第２の態様は、ディスク状の弾性弁体が装着された雄コネクタ接続用のポートが設けられていると共に、該弾性弁体の外周部分に形成された内側係止溝と外側係止溝に対してハウジングに形成された内側爪部と外側爪部が係止されて支持されている医療用弁において、前記弾性弁体の内側面には前記内側係止溝から連続して内周側に広がる周溝が設けられている一方、前記外側爪部の内周面には軸方向内方に向かって次第に拡径する傾斜面が設けられていると共に、該傾斜面の傾斜角度θが４５度よりも大きくされており、該周溝の径方向の少なくとも一部が該外側爪部の該傾斜面に対して軸方向で対向位置していることを特徴とするものである。
【００１３】
本態様に従う構造とされた医療用弁によれば、周溝によって弾性弁体の自由表面が大きくされることで雄コネクタ挿入に伴う弾性弁体の変形時の応力集中が軽減される。また、周溝と軸方向に対向する外側爪部には傾斜面が設けられることで、周溝の形成部分でも弾性弁体の軸方向厚さが確保されて耐久性も確保され得る。加えて、雄コネクタ挿入に際して弾性弁体に及ぼされる圧縮力が、外側爪部の傾斜面に沿った方向へ逃がされることで、発生応力の分散も図られる。
【００１４】
本発明の第３の態様は、前記第２の態様に係る医療用弁において、前記弾性弁体の前記周溝が、前記外側爪部の内周面よりも径方向内方にまで広がっているものである。
【００１５】
本態様に従う構造とされた医療用弁では、雄コネクタ挿入に伴う弾性弁体の内方への弾性変形が、周溝によって一層容易に許容されて、弾性弁体の発生応力がより効果的に軽減され得る。
【００１６】
本発明の第４の態様は、ディスク状の弾性弁体が装着された雄コネクタ接続用のポートが設けられていると共に、該弾性弁体の外周部分に形成された内側係止溝と外側係止溝に対してハウジングに形成された内側爪部と外側爪部が係止されて支持されている医療用弁であって、前記弾性弁体の外周部分において、該外側爪部と前記内側爪部とにおける両最先端面の対向面間が最小厚さの第一薄肉部とされていると共に、該第一薄肉部の内周側には、該内側爪部において前記内側係止溝の開口端に至るまで傾斜した内周面によって中央に向かって次第に厚肉となる第二薄肉部が設けられており、更に該第二薄肉部の内周側には、該外側爪部の傾斜した内周面によって中央に向かって次第に厚肉となる第三薄肉部が設けられていることを特徴とするものである。
【００１７】
本態様に従う構造とされた医療用弁によれば、最も薄肉とされた第一薄肉部に対して内外爪部間による支持作用が発揮されて、雄コネクタの挿入時における弾性弁体の抜け落ちが防止される。また、比較的薄肉とされた第二薄肉部において、雄コネクタの挿入時における弾性弁体の変形が容易に生ぜしめられることで、発生応力を抑えつつ、雄コネクタの容易な挿入が許容される。更にまた、第二薄肉部よりも雄コネクタに近い内周側には、第二薄肉部よりも厚肉とされた第三薄肉部が設けられていることにより、雄コネクタの挿入時のしごきなどに対する弾性弁体の耐久性が向上される。
【００１８】
その結果、特に弾性弁体の変形容易性による雄コネクタの挿入操作性の向上と弾性弁体の耐久性の向上との両立が図られ得る。なお、外側爪部および内側爪部の各最先端面は、径方向において僅かでも幅寸法をもった平坦面とされることが望ましく、それによって、弾性弁体への集中的な力の作用が軽減される。尤も、本発明において内外爪部の最先端面は、実質的に幅のない程に細い線状で周方向に延びていても良く、例えば外観上で先鋭形状や湾曲断面形状の最先端面も採用され得る。
【００１９】
本発明の第５の態様は、前記第４の態様に係る医療用弁において、前記外側爪部と前記内側爪部とにおける両最先端面の軸方向対向距離に比して、該外側爪部の最先端面の内半径と該内側爪部の最先端面の内半径との寸法差の方が小さくされているものである。
【００２０】
本態様に従う構造とされた医療用弁では、外側爪部の最先端面が、内側爪部の最先端面との対向面間での弾性弁体の挟持領域を越えて内周側に張り出す大きさが抑えられる。その結果、内外の爪部による弾性弁体の挟持作用を確保しつつ、外側爪部による弾性弁体の変形拘束が軽減されて、弾性弁体への雄コネクタの挿入操作性の向上などが図られ得る。
【００２１】
本発明の第６の態様は、ディスク状の弾性弁体が装着された雄コネクタ接続用のポートが設けられていると共に、該弾性弁体の外周部分に形成された内側係止溝と外側係止溝に対してハウジングに形成された内側爪部と外側爪部が係止されて支持されている医療用弁であって、前記弾性弁体の前記内側係止溝に嵌め入れられて係止された前記内側爪部の先端部分において、最先端面が該先端部分における径方向中央よりも外周側に偏倚していると共に、該内側爪部の該先端部分の最小内径が前記外側爪部の最先端面の内径よりも大きくされていることを特徴とするものである。
【００２２】
本態様に従う構造とされた医療用弁によれば、内側爪部の先端部分の外周側で弾性弁体が支持される一方、内側爪部の先端部分の内周側では弾性弁体の肉厚寸法が大きくされ得る。その結果、弾性弁体に対する支持力を確保しつつ、雄コネクタ挿入時における弾性弁体の変形を許容して弾性弁体の応力軽減と損傷防止を図ることも可能になる。
【００２３】
本発明の第７の態様は、前記第６の態様に係る医療用弁において、前記内側爪部の内周面が、内周側に向かって凸となる湾曲断面形状を有する湾曲内周面とされており、該湾曲内周面が前記先端部分よりも内方にまで延びており、前記雄コネクタの接続によって前記弾性弁体が該湾曲内周面に重なるように変形するようになっているものである。
【００２４】
本態様に従う構造とされた医療用弁によれば、雄コネクタの接続に伴い変形せしめられた弾性弁体が、湾曲断面形状を有する内側爪部の湾曲内周面に沿ってスムーズに変形され得る。
【００２５】
本発明の第８の態様は、ディスク状の弾性弁体が装着された雄コネクタ接続用のポートが設けられていると共に、該弾性弁体の外周部分に形成された内側係止溝と外側係止溝に対してハウジングに形成された内側爪部と外側爪部が係止されて支持されている医療用弁において、前記内側爪部の内周面が、内周側に向かって凸となる湾曲断面形状を有する湾曲内周面とされており、該湾曲内周面が前記弾性弁体の前記内側係止溝の外部にまで延び出して広がっていると共に、該湾曲内周面の最小内径寸法が前記外側爪部の最小内径寸法よりも大きくされている一方、前記内側爪部において前記内側係止溝に嵌め入れられて係止された先端部分における外周面が内周面よりも軸方向に近い急な傾斜角度とされていることを特徴とするものである。
【００２６】
本態様に従う構造とされた医療用弁によれば、湾曲形状とされた内側爪部の内周面に沿って弾性弁体が変形されることで、雄コネクタ挿入時における弾性弁体の応力集中や損傷を回避することができる。また、急な傾斜角度を有する内側爪部の外周面によって弾性弁体への支持力向上が図られることで、雄コネタク挿入に伴う弾性弁体の抜け落ちも効果的に防止される。
【００２７】
本発明の第９の態様は、ディスク状の弾性弁体が装着された雄コネクタ接続用のポートが設けられていると共に、該弾性弁体の外周部分に形成された内側係止溝と外側係止溝に対してハウジングに形成された内側爪部と外側爪部が係止されて支持されている医療用弁において、前記弾性弁体の前記外側係止溝に重ね合わされた前記外側爪部の内周面における軸方向外方端部分の内径寸法が３．９〜４．５ｍｍの範囲内に設定されていると共に、該外側爪部によって前記弾性弁体が径方向で圧縮されていることを特徴とするものである。
【００２８】
本態様に従う構造とされた医療用弁では、特定の内径寸法に設定された外側爪部で弾性弁体が径方向に圧縮されていることにより、雄コネクタの挿入時における過度の傾きによる弾性弁体の損傷の回避や、挿入された雄コネクタに対する適切な保持力実現が達成され得る。
【００２９】
本発明の第１０の態様は、前記第９の態様に係る医療用弁において、前記弾性弁体において前記外側係止溝の内周側に位置する中央部分の外径寸法が、該外側係止溝に係止される前記外側爪部の内径寸法よりも大きくされていると共に、該外側係止溝の深さ寸法が該外側爪部の軸方向突出寸法よりも小さくされており、該外側爪部によって該弾性弁体が径方向及び軸方向で圧縮されているものである。
【００３０】
本態様に従う構造とされた医療用弁によれば、外側爪部と外側係止溝の形状を適切に設定することで、弾性弁体が、径方向で効率的に圧縮状態とされて、雄コネクタの先端によって内外の爪部により挟まれた薄肉部分などがしごかれるおそれを低減することができる。
【００３１】
本発明の第１１の態様は、前記第９又は第１０の態様に係る医療用弁において、前記弾性弁体において前記外側係止溝の内周側に位置する中央部分の外周面が、該外側係止溝の底側端から開口側端に至る軸方向の全長で且つ周方向の全体に亘る全面において、前記外側爪部の内周面により径方向で圧縮されているものである。
【００３２】
本態様に従う構造とされた医療用弁によれば、雄コネクタの先端によって内外の爪部により挟まれた薄肉部分などがしごかれるおそれを低減することができる。
【００３３】
本発明の第１２の態様は、前記第９〜第１１の何れかの態様に係る医療用弁において、前記弾性弁体における前記外側爪部による径方向の圧縮力が、該弾性弁体の軸方向において内側部分よりも外側部分の方が大きくされているものである。
【００３４】
本態様に従う構造とされた医療用弁によれば、雄コネクタの挿入性および弾性弁体の復元性の向上が図られ得る。
【００３５】
本発明の第１３の態様は、ディスク状の弾性弁体が装着された雄コネクタ接続用のポートが設けられていると共に、該弾性弁体の外周部分に形成された内側係止溝と外側係止溝に対してハウジングに形成された内側爪部と外側爪部が係止されて支持されている医療用弁において、前記外側爪部の内周面には、軸方向内方の端部側において拡径された拡径内周面が設けられており、該拡径内周面の軸方向長さが、前記内側爪部と前記外側爪部との各最先端面の軸方向の対向面間距離以上とされていることを特徴とするものである。
【００３６】
本態様に従う構造とされた医療用弁では、内外爪部による弾性弁体の支持力の確保と、拡径内周面による雄コネクタ挿入時の応力軽減とが、より効果的に両立して実現可能となる。
【発明の効果】
【００３７】
本発明に従う構造とされた医療用弁によれば、雄コネクタの挿し入れに際しての弾性弁体の発生応力の軽減と耐久性の向上が図られ得る。
【図面の簡単な説明】
【００３８】
【図１】本発明の１実施形態としての医療用弁を示す縦断面図。
【図２】図１に示された医療用弁の要部を拡大して示す図であって、内外の爪部の形状を説明するための説明図。
【図３】図１に示された医療用弁の要部を拡大して示す図であって、弾性弁体の形状を説明するための説明図。
【図４】図１に示された医療用弁を構成する弾性弁体をハウジングに装着する前の単品状態で示す斜視図。
【図５】図４に示された弾性弁体の縦断面図。
【図６】図１に示された医療用弁に対して雄コネクタを真っ直ぐ挿入して弾性弁体を押し開いた状態を示す縦断面図。
【図７】図１に示された医療用弁に対して雄コネクタを斜めに挿入した状態を示す縦断面図。
【発明を実施するための形態】
【００３９】
以下、本発明を更に具体的に明らかにするために、本発明の実施形態について、図面を参照しつつ、詳細に説明する。
【００４０】
先ず、図１〜３には、本発明の１実施形態としての医療用弁１０が示されている。この医療用弁１０は、軸方向に延びる略筒状のハウジング１２を備えており、当該ハウジング１２の軸方向一方（図１中の上方）の開口部１４が雄コネクタ接続用のポートとされていると共に、当該ポート（開口部１４）に弾性弁体１６が装着されている。なお、以下の説明において、軸方向および上下方向とは、図１中の上下方向をいう。
【００４１】
より詳細には、弾性弁体１６は、ゴムやエラストマーなどの弾性体で形成されており、ハウジング１２に装着される前の単品図である図４，５に示されるように、中心軸回りの回転対称形状とされた表面形状を有している。
【００４２】
また、弾性弁体１６の中央部分１８は円形の略ディスク形状とされており、この中央部分１８においてスリット２０が上下に貫通して形成されている。スリット２０の形状は何等限定されるものではないが、直線状（一文字状）や、十文字状、中心から放射状に延びる形状などが好適に採用され得る。
【００４３】
また、弾性弁体１６の外周側には、軸方向内外に突出する筒状支持部２２が設けられている。そして、中央部分１８と筒状支持部２２とが径方向において環状連結部２４で連結されている。環状連結部２４は、周方向の全周に亘って中央部分１８と筒状支持部２２を一体的に連結しており、本実施形態では、弾性弁体１６が一体成形品で構成されている。
【００４４】
環状連結部２４は、弾性弁体１６の中央部分１８よりも厚さ寸法が小さくされている。これにより、弾性弁体１６における軸方向内面側および外面側の各外周部分には、それぞれ周方向の全周に亘って延びる略環状の内側係止溝２６および外側係止溝２８が形成されており、これら両係止溝２６，２８の底部の軸方向間により環状連結部２４が構成されている。即ち、弾性弁体１６の中央部分１８が、内側係止溝２６の溝底面２６ａよりも軸方向内方に突出する内方突出部１８ａと、外側係止溝２８の溝底面２８ａよりも軸方向外方に突出する外方突出部１８ｂとを含んで構成されている。本実施形態では、内方突出部１８ａの突出寸法が、外方突出部１８ｂの突出寸法よりも小さくされており、両溝底面２６ａ，２８ａ間に形成される環状連結部２４が、中央部分１８の軸方向中央よりも下方に偏倚して設けられている。
【００４５】
また、内側係止溝２６の内周側には、周方向の全周に亘って連続して延びる周溝としての凹溝部３０が形成されている。凹溝部３０は、内側係止溝２６よりも浅い溝深さで、内側係止溝２６の内周側に連続して広がっており、凹溝部３０の溝上底面３０ａにおける外周端が、内側係止溝２６の内周側の開口端とされている。
【００４６】
さらに、本実施形態では、図４，５に示される弾性弁体１６の単品状態において、内側係止溝２６と外側係止溝２８とが、弾性弁体１６の径方向で略同じ位置とされて、軸方向で重なるように設けられている。なお、内側係止溝２６の溝底面２６ａは、径方向に小幅で円環状に広がる平面形状とされており、溝開口側に向かって拡開する溝両側壁面としてそれぞれ傾斜した外周面２６ｂと内周面２６ｃを有している。同様に、外側係止溝２８の溝底面２８ａも、径方向に小幅で円環状に広がる平面形状とされており、溝開口側に向かって拡開する溝両側壁面として外周面２８ｂと内周面２８ｃを有している。
【００４７】
また、環状連結部２４の外周側に設けられた筒状支持部２２は、環状連結部２４から軸方向外方に突出する上方支持部３２と軸方向内方に突出する下方支持部３４とを有している。本実施形態では、上方支持部３２が、弾性弁体１６の上端面までは至らない寸法で上方に突出している。一方、下方支持部３４は、弾性弁体１６の下端面よりも大きく下方まで突出している。また、下方支持部３４の突出先端部分（下端部分）には、外周側に広がるフランジ状部３６が一体形成されている。
【００４８】
一方、本実施形態のハウジング１２は、何れも略筒形状とされたベース部材３８と内部ハウジング４０と外部ハウジング４２とから構成されている。これらベース部材３８、内部ハウジング４０、外部ハウジング４２は、何れも硬質の合成樹脂により形成されることが好適である。
【００４９】
ベース部材３８は、上下に延びる中央筒状部４４の外周側に周壁部４６が設けられており、それぞれの上端近くが環状の上底部４８で連結されている。中央筒状部４４の軸方向寸法は周壁部４６の軸方向寸法より大きくされており、周壁部４６から下方へ中央筒状部４４が突出している。なお、周壁部４６の内周面には、雌ねじ部５０が形成されており、ルアーロック式のコネクタなどを中央筒状部４４へ接続できるようになっている。また、中央筒状部４４の上方開口部分の内周面には、上方に向かって拡径するテーパ面５２が設けられている。なお、ベース部材３８は、医療用弁１０を設ける部位により形状を変更することができて、例えばベース部材を三方活栓としてもよい。
【００５０】
さらに、上底部４８の上方には、中央筒状部４４と周壁部４６の各上端部の径方向対向面間を周方向の全周に亘って延びる円環形状の固定用溝５４が形成されている。固定用溝５４の外周側の壁部は、上底部４８から上方に突出する環状の支持壁５６とされている。
【００５１】
内部ハウジング４０は、上方に向かって小径となる略テーパ筒状を有する回転対称形状とされている。この内部ハウジング４０の上側部分には、雁首状の屈曲断面で内周側へ狭まった環状の受座部６０が形成されている。受座部６０の内周縁部には、軸方向上方に向かって突出する環状の内側爪部６２が形成されている。更に、内側爪部６２の先端部分が、弾性弁体１６の内側係止溝２６へ係止される係止部６４とされている。なお、係止部６４は、凹溝部３０の底面から上方に突出して内側係止溝２６へ嵌め入れられた部分だけをいう。
【００５２】
係止部６４は、図１〜３に示された縦断面図において、上端に位置して所定の径方向幅で全周に広がる平坦な最先端面６４ａを有している。また、係止部６４は、最先端面６４ａの外周端から下方に延びる外周面６４ｂと、最先端面６４ａの内周端から下方に延びる内周面６４ｃとを有している。
【００５３】
外周面６４ｂは、下方に向かって次第に拡径する傾斜面とされている。内側爪部６２の外周面は、内側係止溝２６へ係止される先端部分（係止部６４）から下方に突出して凹溝部３０の開口位置となる軸方向位置にまで至る部分が、略一定の傾斜角度αをもって下方に延びる傾斜面とされている。
【００５４】
内周面６４ｃは、軸方向下方への傾斜が次第に大きくなるように湾曲した内方凸状の傾斜湾曲面とされている。これら係止部６４における外周面６４ｂおよび内周面６４ｃは、後述するように、内側係止溝２６の外周面２６ｂおよび内周面２６ｃと重ね合わされるようになっている。それ故、係止部６４の内周面６４ｃは、内側係止溝２６の開口端まで至っている。このような外周面６４ｂと内周面６４ｃを有する係止部６４は、突出先端に向かって次第に厚さ寸法が小さくなる先細形状とされている。
【００５５】
本実施形態では、外周面６４ｂにおける軸方向からの傾斜角度α（図２参照）が、内周面６４ｃの先端部における軸方向からの傾斜角度β（図２参照）よりも小さくされている。即ち、内側爪部６２の先端部分では、外周面６４ｂが、内周面６４ｃよりも軸方向に近い急な傾斜角度（α＞β）とされている。
【００５６】
また、係止部６４の最先端面６４ａは、内側爪部６２の先端部分の径方向中央（図２中の一点鎖線Ｌ参照）よりも外周側に偏倚している。即ち、最先端面６４ａの径方向中央は、図２中の中央線Ｌよりも外周側に位置しており、本実施形態では最先端面６４ａの略全体が図２中の中央線Ｌよりも外周側に位置している。
【００５７】
さらに、本実施形態では、係止部６４の下方まで含んで、内側爪部６２の内周面が、全体として内周側に向かって凸となる湾曲断面形状を有する湾曲内周面６６とされている。なお、湾曲内周面６６は、全体として湾曲断面形状になっていればよく、全面に亘って一定の曲率半径をもって形成される必要はない。例えば、湾曲内周面６６が、図１〜３に示された断面図において、直線状とされた部分を有していてもよいし、断面の上下方向で曲率半径が異なっていても良い。
【００５８】
本実施形態では、内側爪部６２の湾曲内周面６６において、内側係止溝２６へ係止される先端部分（係止部６４）から凹溝部３０内に位置する部位にまで至る部分が、曲率中心を湾曲内周面６６よりも外周側に有し且つ直線部分を有しない湾曲面６６ａとされている。なお、ここでいう湾曲面６６ａは、上述の係止部６４の内周面６４ｃを上端部分に含んでいる。また、本実施形態では、内側爪部６２の湾曲内周面６６が、内側係止溝２６および凹溝部３０の外部にまで延びだして下方に広がっている。
【００５９】
一方、内部ハウジング４０の下端部には、略一定の厚さ寸法（上下方向）で外周側に突出する環状基端部６８が設けられている。この環状基端部６８は、ベース部材３８における固定用溝５４に嵌まり込む大きさと形状を有している。
【００６０】
また、外部ハウジング４２は、下方の大径筒部７０と上方の小径筒部７２が径方向に広がる段差状の環状肩部７４で一体的に連設された構造となっている。即ち、軸方向中間部分に環状肩部７４を有しており、環状肩部７４の上方に小径筒部７２が設けられている一方、下方に大径筒部７０が設けられている。
【００６１】
小径筒部７２は、軸方向外方に行くに従って次第に小径となるテーパ形状とされている。更に、小径筒部７２の先端部分には、内周側へ広がる円環状の先端壁部７６が形成されており、先端壁部７６の内周縁部には、軸方向内方に折り返されるようにして下方へ突出する外側爪部７８が形成されている。そして、外部ハウジング４２の上端部分には、径方向で所定幅をもって周方向に延びる外側保持溝８０が、軸方向下方に開口する円環状溝として形成されている。
【００６２】
また、外側爪部７８の内周面７８ａは、内径寸法が、後述する所定の寸法範囲内とされて軸方向に延びる筒状内周面８１を、外側爪部７８における軸方向外方端部分（突出基端部分）に有している。更に、内周面７８ａの突出先端部分には、軸方向内方に向かって次第に拡径する拡径内周面８２が形成されている。なお、本実施形態では、筒状内周面８１において図２中の下側となる先端部分が下方に向かって拡径するテーパ状とされており、拡径内周面８２が、筒状内周面８１の当該先端部分を含んで構成されている。
【００６３】
本実施形態の拡径内周面８２は、軸方向に対して略一定の傾斜角度θ（図２参照）で傾斜して軸方向に延びる傾斜面８２ａを含んでいる。傾斜面８２ａの傾斜角度θは、４５度より大きくされることが望ましい。４５度より大きな傾斜角度θを採用することで、筒状内周面８１の長さを確保しつつ、凹溝部３０との軸方向での対向面積を大きくできて対向面間での弾性弁体１６の厚さ寸法乃至はボリュームを大きくできる。また、傾斜角度θを４５度より大きくすることで、雄コネクタの挿入に際して弾性弁体１６に及ぼされる圧縮力が、外側爪部７８の傾斜面８２ａに沿った方向へより効率的に拡散して逃がされ得て、発生応力の軽減も図られる。
【００６４】
なお、傾斜面８２ａの傾斜角度θを９０度又はそれに近い角度とすることで、内周面７８ａの軸方向中間部分に段差面を形成し、内周面７８ａを、軸方向内方の大径部と軸方向外方の小径部とが段差面の軸方向両側に形成された段付筒状面をもって形成することも可能である。
【００６５】
また、傾斜面８２ａの上端は、筒状内周面８１において内径寸法が一定とされた部分８１ａに対して滑らかな湾曲面で接続されている。これにより、外側爪部７８の内周面７８ａは、軸方向の全体に亘って折れ点や段差などを有しないで滑らかに軸方向に延びている。傾斜面８２ａと筒状内周面８１において内径寸法が一定とされた部分８１ａとを湾曲面で滑らかに接続する構成は必須でないが、両者を滑らかに接続することで、雄コネクタの挿入時に、雄コネタクの先端或いは変形する弾性弁体１６が、内周面７８ａによって一層スムーズに案内され得る。
【００６６】
なお、傾斜面８２ａの下端も、外側爪部７８の下端の最先端面８３に対して、湾曲面で滑らかに接続することができるが、本実施形態では、角部をもって接続されている。これにより、外側爪部７８の最先端面８３の内周端がエッジ形状とされているが、雄コネタク挿入時の弾性弁体１６は、外側爪部７８の最先端面８３の内周端から離れる方向に変形することから大きな問題はないし、弾性弁体１６の位置決めや保持の精度向上が図られ得る。
【００６７】
特に、本実施形態では、外側爪部７８の最先端面８３が、ある程度の径方向幅寸法を有して軸直角方向に広がる環状平坦面とされている。また、最先端面８３の径方向幅は、内側爪部６２の最先端面６４ａの径方向幅よりも大きくされており、後述するように、外側爪部７８の最先端面８３と内側爪部６２の最先端面６４ａとが、軸方向で所定距離を隔てて直接に対向位置している。
【００６８】
更にまた、小径筒部７２の外周面には、例えばルアーロックコネクタの雌ねじ部が螺合する雄ねじ部８４が形成されている。雄ねじ部８４は、例えばＩＳＯ５９４で規定された、ルアーロックコネクタの雌ねじ部との接続が可能な二条ねじとされる。
【００６９】
なお、外部ハウジング４２の外径寸法は、本実施形態のような雄ねじ部８４を形成しない場合には、小径筒部７２の外径が６．０〜７．０ｍｍの範囲内で設定されることが好ましく、本実施形態のように雄ねじ部８４を形成する場合には、ねじ山を含んだ小径筒部７２の外径が７．２〜８．０ｍｍの範囲内で設定されることが好ましい。
【００７０】
さらに、外部ハウジング４２の環状肩部７４には、下方に開口する嵌合溝８６が形成されている。本実施形態では、嵌合溝８６が周方向の全周に延びる環状溝とされている。
【００７１】
そして、上述の如きベース部材３８と内部ハウジング４０と外部ハウジング４２とによりハウジング１２が構成されていると共に、ハウジング１２の上方の開口部１４において弾性弁体１６が、内部ハウジング４０と外部ハウジング４２とで挟まれて支持されることで、本実施形態の医療用弁１０が構成されている。
【００７２】
すなわち、ベース部材３８において上方に開口する固定用溝５４に内部ハウジング４０の環状基端部６８が嵌め入れられて、径方向で位置決めされている。そして、当該環状基端部６８の上面に対して弾性弁体１６のフランジ状部３６が重ね合わされていると共に、内部ハウジング４０の内側爪部６２における係止部６４が弾性弁体１６の内側係止溝２６に食い込むように押し入れられて係止されている。これにより、内側爪部６２における係止部６４の外表面が、内側係止溝２６の内面に重ね合わされると共に、内側爪部６２における係止部６４より下の部分が内側係止溝２６から突出している。
【００７３】
なお、必要に応じてベース部材３８と内部ハウジング４０とは、接着や溶着などの手段により固着されてもよい。また、本実施形態では、内側係止溝２６の内周側に凹溝部３０が設けられていることから、内側爪部６２の内周面（湾曲内周面６６）と凹溝部３０の内周面とが径方向で離隔しており、シリンジ８８（後述）の挿入前の状態（図１に示される状態）において、内側爪部６２の内周面（湾曲内周面６６）が、内側係止溝２６に挿し入れられている部分（係止部６４の内周面６４ｃ）を除いて、弾性弁体１６に覆われることなくハウジング１２の内部空間に露呈されている。これにより、シリンジ８８の挿入時において、弾性弁体１６の弾性変形が容易に生じて、挿入抵抗の低減が図られ得る。
【００７４】
また、軸方向外方から外部ハウジング４２が重ね合わされてベース部材３８に固定されている。なお、外部ハウジング４２はベース部材３８に対して軸方向で押圧力をもって組み付けられている。これにより、外部ハウジング４２の固定用溝５４の内部において、弾性弁体１６のフランジ状部３６が、内部ハウジング４０の環状基端部６８と重ね合わされて、外部ハウジング４２の環状肩部７４との間で軸方向で挟まれて支持されている。また、弾性弁体１６の下方支持部３４が、内部ハウジング４０と外部ハウジング４２との径方向間で挟まれて支持されている。なお、本実施形態では、内部ハウジング４０と外部ハウジング４２とにおいて、弾性弁体１６の断面略矩形状のフランジ状部３６の上下面に押し付けられる凸部が略対向位置して設けられて、フランジ状部３６が内部ハウジング４０と外部ハウジング４２との軸方向間で圧縮され、弾性弁体１６への支持強度の向上が図られている。尤も、フランジ状部３６に括れ状部を形成して、当該括れ状部を内部ハウジング４０と外部ハウジング４２とに設けられる凸部で挟持することで、弾性弁体１６への支持強度の向上を図ることもできる。
【００７５】
さらに、外部ハウジング４２の外側保持溝８０には、弾性弁体１６の筒状支持部２２の上方支持部３２が押し入れられて嵌合状態で支持されている。また、弾性弁体１６の外側係止溝２８には、外部ハウジング４２の外側爪部７８が食い込むように押し入れられて係止されている。なお、図１〜３では、外側爪部７８の食い込みを説明するために、単品状態の弾性弁体１６に相当する形状線を二点鎖線で示す。
【００７６】
これにより、外側爪部７８の内周面７８ａが、外側係止溝２８の内周面２８ｃ（外方突出部１８ｂの外周面）の略全面に対して、密着状態で重ね合わされている。本実施形態では、後述するように、外側爪部７８により外方突出部１８ｂが径方向で圧縮されている。なお、弾性弁体１６における中央部分１８の上端面は、外部ハウジング４２における先端壁部７６の上端面に対して、略同一平面上に位置するか、僅かに軸方向内方に位置するか、僅かに軸方向外方に位置するようになっている。このようにすることで、消毒布等を用いて弾性弁体１６の天面（上端面）全体を消毒し易くすることができる。尤も、中央部分１８の上端面は、外部ハウジング４２の先端壁部７６の上端面から、ある程度軸方向で上方又は下方に離れていてもよい。
【００７７】
また、外部ハウジング４２の外側爪部７８に対して、内部ハウジング４０の内側爪部６２が、弾性弁体１６の環状連結部２４を挟んで、軸方向で対向位置している。
【００７８】
ここにおいて、内側爪部６２の突出先端部分（係止部６４）の最小内径寸法、即ち内側爪部６２の最先端面６４ａにおける内径寸法φi （図１参照）が、外側爪部７８の最先端面８３における内径寸法φo より大きくされており、内側爪部６２の最先端面６４ａにおける内周端が、外側爪部７８の最先端面８３における内周端よりも外周側に位置している。特に、本実施形態では、内側爪部６２の最先端面６４ａにおける内周端と外側爪部７８の最先端面８３における内周端との径方向距離Ａ（図２参照）、即ち内側爪部６２の最先端面６４ａにおける内半径と外側爪部７８の最先端面８３における内半径との寸法差（φi ／２−φo ／２）が、内側爪部６２の最先端面６４ａと外側爪部７８の最先端面８３との軸方向対向距離（後述する第一薄肉部の厚さ寸法Ｔ1 ）より小さくされている。また、内側爪部６２の最先端面６４ａにおける外周端が、外側爪部７８の最先端面８３における外周端よりも内周側に位置している。これにより、内側爪部６２の最先端面６４ａが、全面に亘って、外側爪部７８の最先端面８３と軸方向で対向している。
【００７９】
さらに、本実施形態では、外側爪部７８の内周面７８ａにおける突出先端部分に傾斜角度θが略一定とされた傾斜面８２ａが設けられている。そして、傾斜面８２ａの軸方向内方（下方）への延長線上に内側爪部６２の内周面である湾曲内周面６６が位置している。また、外側爪部７８の傾斜面８２ａと凹溝部３０とが、径方向の少なくとも一部において、軸方向の投影で重なっている。
【００８０】
また、傾斜面８２ａの外周端は、凹溝部３０の外周端（内側係止溝２６の開口端）よりも内周側に位置しており、且つ、傾斜面８２ａの内周端は、凹溝部３０の内周端よりも外周側に位置している。即ち、凹溝部３０は、外側爪部７８の内周面７８ａよりも内外周の両側に広がって延びている。これにより、傾斜面８２ａの全体が、凹溝部３０と軸方向で対向している。
【００８１】
更にまた、弾性弁体１６のハウジング１２への装着状態において、環状連結部２４から中央部分１８へ向かって、内周側になるにつれて次第に厚さ寸法が大きくされている。即ち、弾性弁体１６では、内側爪部６２と外側爪部７８の各最先端面６４ａ，８３で挟まれる対向面間部分において、厚さ寸法が最も小さくされた第一薄肉部とされている。この第一薄肉部は、弾性弁体１６の環状連結部２４によって構成されており、内側爪部６２の最先端面６４ａ上において、かかる第一薄肉部が、厚さ寸法Ｔ1 （図３参照）をもって形成されている。
【００８２】
また、第一薄肉部（環状連結部２４）の内周側には、中央（内周側）に向かって次第に厚肉となる第二薄肉部８９ａが形成されている。第二薄肉部８９ａは、内側爪部６２の係止部６４の内周面６４ｃと、外側爪部７８の最先端面８３とによって、軸方向で挟まれた部分とされている。
【００８３】
本実施形態では、係止部６４の内周面６４ｃの内周端が、外側爪部７８の最先端面８３の内周端よりも外周側に位置している。即ち、係止部６４の内周面６４ｃの最小内径寸法（後述するφd ）が、外側爪部７８の最先端面８３の内径寸法（φo ）よりも大きくされている（φd ＞φo ）。この結果、第二薄肉部８９ａの最大厚さ寸法がＴ2 （図３参照）とされており、第二薄肉部８９ａが、内周側に向かって、厚さ寸法がＴ1 からＴ2 まで次第に大きくなっている。
【００８４】
さらに、第二薄肉部８９ａの内周側には、凹溝部３０の溝上底面３０ａと外側爪部７８の傾斜面８２ａ（拡径内周面８２）との軸方向間において、第二薄肉部８９ａよりも厚肉の第三薄肉部８９ｂが形成されている。第三薄肉部８９ｂは、中央（内周側）に向かって次第に厚肉とされており、厚さ寸法が外周端のＴ2 から内周端のＴ3 まで次第に大きくなっている。
【００８５】
なお、本実施形態では、第二薄肉部８９ａと第三薄肉部８９ｂとの径方向間に移行領域８９ｃが設けられている。この移行領域８９ｃは、凹溝部３０の溝上底面３０ａと外側爪部７８の最先端面８３との軸方向間において略一定の厚さ寸法（Ｔ2 ）で広がっている。尤も、移行領域８９ｃは必須なものではなく、第二薄肉部と第三薄肉部とが直接に径方向で連続していてもよい。
【００８６】
そして、上述の第三薄肉部８９ｂの内周側には、第三薄肉部８９ｂよりも厚さ寸法の大きな弾性弁体１６の中央部分１８が連続して設けられている。この中央部分１８は、外側爪部７８の筒状内周面８１に対して密着状態で重なる外周面を有している。
【００８７】
ここにおいて、本実施形態の医療用弁１０では、外側爪部７８の内周面７８ａの軸方向外方端部分において内径寸法が後述する所定の寸法範囲内とされた部分（筒状内周面８１）の軸方向長さＢ1 （図２参照）が、好適には外側爪部７８の全体長さＢ（図１等参照）の１／３以上に設定されており、より好適には１／２以上、更に好適には２／３以上に設定されている。
【００８８】
筒状内周面８１の軸方向長さＢ1 が外側爪部７８の軸方向長さＢの１／３以上とされることでシリンジ８８が斜めの状態で環状連結部２４に当たりにくく、シリンジ８８の先端によって環状連結部２４などがしごかれるおそれや強さを低減することができる。なお、本実施形態において、筒状内周面８１は、外側爪部７８の上面（外部ハウジング４２の上端面）から下面（最先端面８３）までの軸方向長さの２／３程度であり、内径寸法が一定とされた部分８１ａと、当該部分８１ａの上下に位置する面取り状の湾曲面の一部を含んで構成されている。
【００８９】
なお、外側爪部７８の軸方向長さＢに対して、筒状内周面８１の軸方向長さＢ1 や、傾斜面８２ａを含む拡径内周面８２の軸方向長さＢ2 の長さをどの程度にするかは、限定されるものでない。本実施形態では、シリンジ８８の先端によりしごかれた際の耐久性を上げるため、拡径内周面８２の軸方向長さＢ2 が、内外の爪部６２，７８における最先端面６４ａ，８３の対向面間距離Ｔ1 以上とされている。
【００９０】
また、本実施形態では、図１に示されるように、外側爪部７８の最小内径寸法φc が、内側爪部６２の係止部６４の最小内径寸法φd よりも小さくされている（φc ＜φd ）。特に、本実施形態では、外側爪部７８の最小内径寸法φc が、内側爪部６２の全体における最小内径寸法φm よりも小さくされている（φc ＜φm ）。なお、外側爪部７８の内周面７８ａの最小内径寸法φc は、筒状内周面８１において内径寸法が一定とされた部分８１ａに設定されており、内側爪部６２の最小内径寸法φm は、湾曲内周面６６における凹溝部３０の開口部付近に位置する部分に設定されている。
【００９１】
ここにおいて、外側爪部７８における筒状内周面８１の内径寸法は、好適には３．９ｍｍ〜４．５ｍｍの範囲内に設定されており、より好適には４．０ｍｍ〜４．４ｍｍの範囲内に設定される。筒状内周面８１の内径寸法が３．９ｍｍより小さいと、雄コネクタの充分な挿入長が得られ難くなって接続が不安定となるおそれがある。一方、筒状内周面８１の内径寸法が、４．５ｍｍより大きいと、雄コネクタの挿入方向がハウジング１２の中心軸に対して大きく傾斜し得て、シリンジ８８の先端が環状連結部２４をしごく距離が大きくなってしまうことから好ましくない。
【００９２】
なお、ハウジング１２への組み付け前の単品状態での弾性弁体１６では、図４，５に示されているように、外側係止溝２８の内周壁を構成する中央部分１８の外周面の外径寸法φe が、全体として、そこに嵌め入れられる外側爪部７８の内周面７８ａの最小内径寸法φc よりも大きくされている（φe ＞φc ）。しかも、外側係止溝２８の深さ寸法Ｆ1 が、外側爪部７８の突出寸法Ｂ3 （図２参照）よりも小さくされている（Ｆ1 ＜Ｂ3 ）。その結果、弾性弁体１６が外側爪部７８により径方向および軸方向で圧縮されている。
【００９３】
また、単品状態の弾性弁体１６における外方突出部１８ｂの突出寸法Ｆ2 （図５参照）は、外側爪部７８の軸方向長さＢよりも小さくされている。これにより、外方突出部１８ｂの外周面が、外側係止溝２８の底側端（下端）から開口側端（上端）に至る軸方向の全長で且つ周方向の全体に亘る全面において、外側爪部７８の内周面７８ａにより径方向で圧縮されている。更にまた、単品状態の弾性弁体１６の外側係止溝２８では、溝底面２８ａの幅寸法が、外側爪部７８の最先端面８３より小さくされていると共に、当該溝底面２８ａの幅方向中心が外側爪部７８の最先端面８３の幅方向中心よりも径方向外方に偏倚されている。これにより、弾性弁体１６の環状連結部２４に対する軸方向の挟持力を適切に調節しつつ、外方突出部１８ｂに対して径方向の圧縮力をより効率的に及ぼし得るようになっている。
【００９４】
なお、外側爪部７８により外方突出部１８ｂに及ぼされる径方向の圧縮力は、外方突出部１８ｂの下端部（内側部分）よりも上端部側（外側部分）において大きくされている。これは、外側爪部７８の内周面７８ａの下側が拡径された傾斜面８２ａとされていることなどによる。
【００９５】
因みに、図６には、上記の如き構造とされた医療用弁１０に対して、雄コネクタとしてのシリンジ８８の先端部分が挿入された状態が示されている。即ち、医療用弁１０において雄コネクタ接続用のポートとされた上方の開口部１４から弾性弁体１６に対してシリンジ８８の先端部分を挿入することにより、弾性弁体１６の中央部分１８が軸方向内方へ押し込まれてスリット２０が開放される。これにより、シリンジ８８の内部から医療用弁１０の内部を経て、人体内部へ至る流体流路９０が連通状態とされる。
【００９６】
シリンジ８８の先端部分は、外径寸法が先端に向かって次第に小さくなるテーパ面とされており、シリンジ８８の先端部分における最小外径寸法φg （図６参照）は、外側爪部７８における筒状内周面８１の最小内径寸法φc および内側爪部６２の最小内径寸法φm よりも小さい。一方、シリンジ８８の先端部分における最大外径寸法φh （図６参照）は、外側爪部７８における筒状内周面８１の上端内径寸法よりも大きい。これにより、医療用弁１０に対してシリンジ８８が挿入された際には、外側爪部７８の筒状内周面８１の上端とシリンジ８８の外周面とが当接嵌合して、シリンジ８８の挿入端が規定される。なお、シリンジ８８がスリップシリンジとされる場合には、シリンジ８８の挿入時にシリンジ８８とハウジング１２（外部ハウジング４２）とが嵌合することで、弾性弁体１６の弾性的な復元変形によりシリンジ８８が挿入方向と反対方向へ押し戻されること（キックバック）が軽減乃至は防止される。
【００９７】
また、本実施形態では、シリンジ８８が挿入されて弾性弁体１６の中央部分１８が下方に押し広げられるように変形した際に、中央部分１８の下端面が、内側爪部６２の内周面（湾曲内周面６６）を含む内部ハウジング４０の内周面に重ね合わされるようになっている。
【００９８】
ここにおいて、本実施形態の医療用弁１０では、図７に示されるように、シリンジ８８をハウジング１２の開口部１４に対して斜めから挿入した場合であっても、内側爪部６２における係止部６４の最小内径寸法φd が外側爪部７８の最小内径寸法φc よりも大きくされていることから、シリンジ８８と内側爪部６２とで挟まれる部分の弾性弁体１６の肉厚を有利に確保できる。また、外側爪部７８における筒状内周面８１の内径寸法が、従来よりも小さい３．９ｍｍ〜４．５ｍｍの範囲内に設定されていることに加えて、筒状内周面８１の軸方向長さＢ1 が、外側爪部７８の軸方向長さＢの１／３以上に設定されていることで、斜めから挿入した場合のシリンジ８８の中心軸に対する傾斜角度を小さく抑えることができる。これにより、シリンジ８８を弾性弁体１６に対してより真っ直ぐ挿入することができて、シリンジ８８の先端と内側爪部６２との間で弾性弁体１６が挟まれにくくなるとともに、挟まれた部分がシリンジ８８の先端によってしごかれる距離を短くすることができ、挟まれた部分に応力が集中したり強く擦られることによる弾性弁体１６の裂け等の損傷が防止され得る。
【００９９】
また、凹溝部３０が拡径内周面８２（傾斜面８２ａ）と軸方向で対向していることから、本実施形態のように弾性弁体１６の内面に凹溝部３０を設ける場合であっても、シリンジ８８の先端でしごかれる部分において弾性弁体１６の厚さ寸法を大きく確保して損傷を防止することができる。特に、凹溝部３０が外側爪部７８よりも内周側にまで広がっていることで、シリンジ８８の挿入時における弾性弁体１６の変形が一層容易に許容されて、弾性弁体１６の耐久性の向上やシリンジ挿入操作性の向上なども図られ得る。
【０１００】
さらに、弾性弁体１６には、外周側から内周側に向かって第一薄肉部２４，第二薄肉部８９ａ，第三薄肉部８９ｂが設けられて次第に肉厚が大きくされている。これにより、第一薄肉部２４において外内の爪部７８，６２による支持力が効率的に及ぼされる一方、第二及び第三の薄肉部においてシリンジ挿入時における弾性変形を適切に許容して発生応力の軽減と操作性の向上を図りつつ、弾性体ボリュームを確保して耐久性の向上や損傷の防止を実現することが可能になる。
【０１０１】
特に、内側爪部６２の最先端面６４ａにおける内周端と外側爪部７８の最先端面８３における内周端との径方向距離Ａは、第一薄肉部（環状連結部２４）の厚さ寸法Ｔ1 より小さくされている。これにより、シリンジ８８の挿入時における弾性弁体１６の変形が、外側爪部７８の最先端面８３で過度に拘束されることが防止される。その結果、内外爪部６２，７８による弾性弁体１６の挟持作用を確保しつつ、雄コネクタ（シリンジ８８）の挿入に伴う弾性弁体１６の損傷の回避が図られ得る。
【０１０２】
更にまた、内側爪部６２の突出先端部分（係止部６４）において、最先端面６４ａが径方向中央よりも外周側に偏倚していることから、係止部６４の外周部分で弾性弁体１６の支持が達成されると共に、係止部６４の内周部分で弾性弁体１６の厚さ寸法が確保されて耐久性の向上などが図られ得る。
【０１０３】
また、内側爪部６２の内周面が湾曲断面形状を有する湾曲内周面６６とされることで、シリンジ８８が挿入された際に弾性弁体１６が当該湾曲内周面６６に沿って変形せしめられる。これにより、変形した弾性弁体１６において応力が集中して裂けるおそれが低減され得る。
【０１０４】
さらに、内側爪部６２の突出先端部分である係止部６４において、内周面６４ｃよりも外周面６４ｂの方が傾斜角度が急とされていることから、シリンジ８８の挿入に伴い弾性弁体１６が軸方向内方に押し込まれた際に、筒状支持部２２における下方支持部３４の内周面が係止部６４の外周面６４ｂに当接することで、弾性弁体１６が内側爪部６２と外側爪部７８との軸方向間から抜け落ちることが防止され得る。
【０１０５】
更にまた、本実施形態では、弾性弁体１６がハウジング１２に装着されるに際して、弾性弁体１６の外方突出部１８ｂが、外側爪部７８により径方向で圧縮されている。即ち、弾性弁体１６は、外側爪部７８に対して径方向外側に力を加えている。これにより、弾性弁体１６の天面（上端面）がシリンジ８８の先端により押し下げられる際、弾性弁体１６の天面の周縁を外側爪部７８の内周面７８ａに沿わせることができて、シリンジ８８の先端により環状連結部（第一薄肉部）２４がしごかれるおそれを低減することができる。特に、外側爪部７８に傾斜面８２ａが設けられる場合、外側爪部７８の筒状内周面８１による弾性弁体１６の圧縮幅は、軸方向における少なくとも一部において、傾斜面８２ａの径方向幅寸法の１／２より大きいことが好ましい。
【０１０６】
本実施形態では、外側爪部７８に傾斜面８２ａが形成されていることで、外側爪部７８の内周面７８ａ全体が外方突出部１８ｂを圧縮している一方、軸方向内側部分よりも外側部分の方が、外側爪部７８による圧縮力が大きくされている。これにより、弾性弁体１６の天面がシリンジ８８の先端により押し下げられる際、弾性弁体１６の天面の周縁を外側爪部７８の内周面７８ａに沿わせることを可能としつつ、シリンジ８８の挿入抵抗の低減とシリンジ８８の抜去時における外方突出部１８ｂの初期位置への復元性の向上が図られ得る。なお、内側爪部６２においては、弾性弁体１６（内方突出部１８ａ）に対して径方向内側に圧縮力を作用していないか、または、外側爪部７８が加える径方向内側への圧縮力より小さい力しか作用しないことが好ましい。
【０１０７】
また、外側爪部７８の突出先端部分に設けられた拡径内周面８２の軸方向長さＢ2 が、内外の爪部６２，７８における最先端面６４ａ，８３の対向面間距離Ｔ1 よりも大きくされている。これにより、拡径内周面８２の軸方向長さＢ2 ひいては第三薄肉部８９ｂにおける最大厚さ寸法Ｔ3 を十分に確保することができて、シリンジ８８の挿入に伴う弾性弁体１６の裂けを一層効果的に防止することができる。
【０１０８】
以上、本発明の実施形態について説明してきたが、本発明はかかる実施形態における具体的な記載によって限定的に解釈されるものでなく、当業者の知識に基づいて種々なる変更、修正、改良などを加えた態様で実施可能である。
【０１０９】
例えば、前記実施形態では、ハウジング１２が、ベース部材３８と内部ハウジング４０と外部ハウジング４２との３部品で構成されていたが、例えばベース部材と内部ハウジングを一体で形成するなどしてもよいし、ハウジング１２の具体的形状や構造は限定されない。
【０１１０】
また、弾性弁体の形状は限定されるものではない。例えば、前記実施形態では、弾性弁体１６の外周部分を構成する筒状支持部２２の下方支持部３４が、弾性弁体１６の下端面よりも大きく下方まで延び出していたが、例えば弾性弁体の下端面と略等しい位置までの長さとされてもよい。更に、弾性弁体の下端面に設けられる周溝（凹溝部）３０は、周方向で不連続であってもよく、また、必須なものではない。
【０１１１】
また、本発明の実施形態によっては、外側爪部７８の内周面７８ａにおける傾斜面８２ａは必須なものではなく、外側爪部７８の内周面を軸方向の全長に亘ってストレートな円筒形状等としても良い。反対に、本発明の実施形態によっては、外側爪部７８の筒状内周面８１においてストレートとされた部分８１ａは必須なものではなく、外側爪部７８の内周面を軸方向の全長に亘ってテーパ形状や階段形状などとしても良い。要するに、外側爪部７８において３．９〜４．５ｍｍの範囲内に納まる内径寸法をもって軸方向に延びる筒状内周面は、軸方向で実質的に連続して所定長さ（外側爪部の１／３以上）を有していれば良く、例えば内径寸法が一定とされた部分を有していなくても良いし、一部に含んでいても良く、或いは全長に亘って内径寸法が一定とされていても良い。
【０１１２】
そして、外側爪部７８の内周面７８ａに傾斜面８２ａを設ける場合でも、内周面７８ａの全周に亘って連続した傾斜面８２ａを設けてテーパ形状とする必要はなく、内周面７８ａの周方向で部分的に傾斜面８２ａを設けても良いし、周方向で傾斜角度θを異ならせても良い。
【０１１３】
また、外側爪部７８の拡径内周面８２は、外側爪部７８の上端側に設定される最小内径よりも大きな内径寸法をもって軸方向に延びていれば良く、例えば軸方向で一定内径の筒状面を有する態様を採用することも可能であり、具体的には実施形態の傾斜面８２ａに代えて、直線状や湾曲状に拡径する段差状面や階段状面等によって拡径内周面を構成しても良い。
【０１１４】
また、前記実施形態では、外側爪部７８の拡径内周面８２が、一定の傾斜角度θで直線的に拡径する傾斜面８２ａを備えていたが、例えば拡径内周面８２は、全面に亘って、内方に凸となる円弧状の湾曲断面のように、傾斜角度が軸方向で変化する湾曲面をもって拡径されていても良い。湾曲面からなる拡径内周面８２の傾斜角度θ’の好適範囲は、平均の傾斜角度をもって設定し得る。
【０１１５】
なお、外側爪部７８の拡径内周面８２が、上述の如き段差状面や階段状面等で構成される場合には、拡径内周面８２の軸方向両端に位置する最大内径点と最小内径点とをつなぐ傾斜線をもって、拡径内周面８２の傾斜角度θ’の好適範囲を設定できる。
【符号の説明】
【０１１６】
１０：医療用弁、１２：ハウジング、１４：開口部（雄コネクタ接続用のポート）、１６：弾性弁体、１８：中央部分、１８ｂ：外方突出部（外側係止溝の内周側に位置する中央部分）、２４：環状連結部（第一薄肉部）、２６：内側係止溝、２６ｃ：内側係止溝の内周面、２８：外側係止溝、３０：凹溝部（周溝）、６２：内側爪部、６４：係止部（内側爪部の先端部分）、６４ａ：内側爪部の最先端面、６４ｂ：内側爪部の先端部分における外周面、６４ｃ：内側爪部の先端部分における内周面、６６：湾曲内周面、７８：外側爪部、７８ａ：外側爪部の内周面、８１：筒状内周面、８２：拡径内周面、８２ａ：傾斜面、８３：外側爪部の最先端面、８８：シリンジ（雄コネクタ）、８９ａ：第二薄肉部、８９ｂ：第三薄肉部
【図１】
2020069360.tif 000003
【図２】
2020069360.tif 000004
【図３】
2020069360.tif 000005
【図４】
2020069360.tif 000006
【図５】
2020069360.tif 000007
【図６】
2020069360.tif 000008
【図７】
2020069360.tif 000009